(57)【要約】【課題】受光素子が不要な光成分を受光することを簡易な構造で抑制可能な画像読取装置を提供する。【解決手段】スキャナでは、発光素子および受光素子を各々含む複数の読取ユニット１０が、基板に設けられる。ＣＰＵは、複数の読取ユニット１０を選択的に駆動して、対象物から画像を読み取る。複数の読取ユニット１０は、対向面側に射影した各々の形状が四角形状であり、且つ、対向面の延びる方向に沿って二次元配列される。ＣＰＵは、隣り合う読取ユニット１０同士で各々の四辺が対向する組合せとは異なる読取ユニット１０の組合せで、読取ユニット１０を同時に駆動する。【選択図】図４
2014042086.tif 000002
【特許請求の範囲】
【請求項１】
対象物に対向可能な面である対向面を有する基板と、
前記基板に設けられ、受光素子および発光素子を各々含む複数の読取ユニットと、
前記複数の読取ユニットを選択的に駆動し、駆動した前記読取ユニットにおいて前記発光素子の発光および前記受光素子の受光を行って、前記対象物から画像を読み取る読取制御部とを備え、
前記複数の読取ユニットは、前記対向面側に射影した各々の形状が四角形状であり、且つ、前記対向面の延びる方向に沿って二次元配列され、
前記読取制御部は、前記複数の読取ユニットのうちで特定の組合せを構成する前記読取ユニットを同時に駆動して、前記対象物から画像を読み取り、
前記特定の組合せは、前記複数の読取ユニットを前記対向面側へ射影した場合に、隣り合う前記読取ユニット同士で各々の四辺が対向する組合せとは異なる前記読取ユニットの組合せであることを特徴とする画像読取装置。
【請求項２】
前記発光素子および前記受光素子は、前記対向面側へ射影した場合に、各々の長辺同士が対向する長方形状であることを特徴とする請求項１に記載の画像読取装置。
【請求項３】
前記発光素子および前記受光素子は、前記対向面側へ射影した場合に、いずれも長辺が短辺の２〜１０倍の長さを有することを特徴とする請求項２に記載の画像読取装置。
【請求項４】
前記発光素子および前記受光素子は、いずれも長辺が短辺の５倍の長さを有することを特徴とする請求項３に記載の画像読取装置。
【請求項５】
前記発光素子および前記受光素子は、前記対向面側へ射影した場合に各々の面積が等しいことを特徴とする請求項１から４のいずれかに記載の画像読取装置。
【請求項６】
前記読取ユニットは、
前記発光素子および前記受光素子の各々に設けられ、前記発光素子および前記受光素子に対して前記対向面側に配置された透明電極と、
前記発光素子および前記受光素子の各々に設けられ、前記発光素子および前記受光素子を挟んで前記透明電極とは反対面側に配置された金属電極とを備え、
前記読取ユニットにおいて、前記発光素子に設けられた前記金属電極と前記受光素子に設けられた前記金属電極との間隔は、１〜５μｍであることを特徴とする請求項１から５のいずれかに記載の画像読取装置。
【請求項７】
前記読取ユニットは、
前記発光素子および前記受光素子の各々に設けられ、前記発光素子および前記受光素子に対して前記対向面側に配置された透明電極と、
前記発光素子および前記受光素子の各々に設けられ、前記発光素子および前記受光素子を挟んで前記透明電極とは反対面側に配置された金属電極とを備え、
前記読取ユニットにおいて、前記発光素子に設けられた前記金属電極と前記受光素子に設けられた前記金属電極との間隔は、前記発光素子と前記受光素子との間隔よりも小さいことを特徴とする請求項１から５のいずれかに記載の画像読取装置。
【請求項８】
前記複数の読取ユニットは、各々の辺が延びる方向に沿って格子状に均等配置され、
前記特定の組合せは、前記複数の読取ユニットを前記対向面側へ射影した場合に、各々の対角線が一致する方向に並ぶ前記読取ユニットの組合せであることを特徴とする請求項１から７のいずれかに記載の画像読取装置。
【発明の詳細な説明】
【技術分野】
【０００１】
本発明は、画像読取装置に関し、詳細には二次元配列された読取素子を有し、対象物に接触して画像を読み取る接触型の画像読取装置に関する。
【背景技術】
【０００２】
従来、二次元配列された読取素子を有し、対象物に接触して画像を読み取る接触型の画像読取装置が知られている（例えば、特許文献１参照）。特許文献１に開示の画像入力装置は、光源ユニット列および受光ユニット列が、基板上に交互に縞状に配列されている。光源ユニットの発光素子は有機ＥＬ素子であり、受光ユニットの受光素子は有機光導電膜である。この画像入力装置は、薄型軽量で折り曲げが可能であり、曲面状の原稿をムラ無く読み取ることができる。
【先行技術文献】
【特許文献】
【０００３】
【特許文献１】特開２００５−３２７９４３号公報
【発明の概要】
【発明が解決しようとする課題】
【０００４】
画像読取装置では、受光ユニットの受光素子が不要な光成分を受光すると、画像を正確に認識できないおそれがある。そこで、上記の画像入力装置では、受光ユニットを光源ユニットに対して遮光するために、隣り合う光源ユニットおよび受光ユニットの間に黒インクが壁状に立設されている。しかしながら、このような光漏れ防止用の壁部をユニット間に設けると、画像入力装置の構造が複雑となり、画像入力装置の製造コストおよび製造工程が増加するおそれがあった。
【０００５】
本発明の目的は、上述した課題を解決するためになされたものであり、受光素子が不要な光成分を受光することを簡易な構造で抑制可能な画像読取装置を提供することである。
【課題を解決するための手段】
【０００６】
本発明の一態様に係る画像読取装置は、対象物に対向可能な面である対向面を有する基板と、前記基板に設けられ、受光素子および発光素子を各々含む複数の読取ユニットと、前記複数の読取ユニットを選択的に駆動し、駆動した前記読取ユニットにおいて前記発光素子の発光および前記受光素子の受光を行って、前記対象物から画像を読み取る読取制御部とを備え、前記複数の読取ユニットは、前記対向面側に射影した各々の形状が四角形状であり、且つ、前記対向面の延びる方向に沿って二次元配列され、前記読取制御部は、前記複数の読取ユニットのうちで特定の組合せを構成する前記読取ユニットを同時に駆動して、前記対象物から画像を読み取り、前記特定の組合せは、前記複数の読取ユニットを前記対向面側へ射影した場合に、隣り合う前記読取ユニット同士で各々の四辺が対向する組合せとは異なる前記読取ユニットの組合せであることを特徴とする。
【０００７】
本態様の画像読取装置では、発光素子および受光素子を各々含む複数の読取ユニットが、基板に設けられる。読取制御部は、複数の読取ユニットを選択的に駆動して、対象物から画像を読み取る。複数の読取ユニットは、対向面側に射影した各々の形状が四角形状であり、且つ、対向面の延びる方向に沿って二次元配列される。読取制御部は、隣り合う読取ユニット同士で各々の四辺が対向する組合せとは異なる読取ユニットの組合せで、読取ユニットを同時に駆動する。
【０００８】
複数の読取ユニットは、対向面側に射影した各々の形状が四角形状であるため、発光素子の光照射に異方性が生じる。対象物の読み取り時に、各々の四辺が対向する読取ユニット同士は同時に駆動されない。駆動した読取ユニットに隣り合う他の読取ユニットの受光素子が、駆動した読取ユニットの発光素子が発した光成分を受光することが抑制される。したがって、受光素子が不要な光成分を受光することを簡易な構造で抑制できる。
【０００９】
前記発光素子および前記受光素子は、前記対向面側へ射影した場合に、各々の長辺同士が対向する長方形状であってもよい。この場合、発光素子の光照射に生じる異方性が大きくなる。したがって、駆動した読取ユニットの発光素子が発した光成分が、駆動した読取ユニットに隣り合う他の読取ユニットの受光素子で受光されることを、より確実に抑制できる。
【００１０】
前記発光素子および前記受光素子は、前記対向面側へ射影した場合に、いずれも長辺が短辺の２〜１０倍の長さを有してもよい。この場合、素子形状に依存する読取ユニットの階調識別能を良好にすることができ、ひいては画像読取装置の読み取り性能を向上できる。
【００１１】
前記発光素子および前記受光素子は、いずれも長辺が短辺の５倍の長さを有してもよい。この場合、素子形状に依存する読取ユニットの階調識別能を最も良好にできる。
【００１２】
前記発光素子および前記受光素子は、前記対向面側へ射影した場合に各々の面積が等しくてもよい。この場合、素子面積に依存する読取ユニットの階調識別能を良好にすることができ、ひいては画像読取装置の読み取り性能を向上できる。
【００１３】
前記読取ユニットは、前記発光素子および前記受光素子の各々に設けられ、前記発光素子および前記受光素子に対して前記対向面側に配置された透明電極と、前記発光素子および前記受光素子の各々に設けられ、前記発光素子および前記受光素子を挟んで前記透明電極とは反対面側に配置された金属電極とを備え、前記読取ユニットにおいて、前記発光素子に設けられた前記金属電極と前記受光素子に設けられた前記金属電極との間隔は、１〜５μｍであってもよい。この場合、発光素子および受光素子の電極間距離に依存する受光素子の明電流を良好にすることができ、ひいては画像読取装置の読み取り性能を向上できる。
【００１４】
前記読取ユニットは、前記発光素子および前記受光素子の各々に設けられ、前記発光素子および前記受光素子に対して前記対向面側に配置された透明電極と、前記発光素子および前記受光素子の各々に設けられ、前記発光素子および前記受光素子を挟んで前記透明電極とは反対面側に配置された金属電極とを備え、前記読取ユニットにおいて、前記発光素子に設けられた前記金属電極と前記受光素子に設けられた前記金属電極との間隔は、前記発光素子と前記受光素子との間隔よりも小さくてもよい。この場合、発光素子および受光素子の電極間距離に依存する受光素子の明電流を良好にすることができ、ひいては画像読取装置の読み取り性能を向上できる。
【００１５】
前記複数の読取ユニットは、各々の辺が延びる方向に沿って格子状に均等配置され、前記特定の組合せは、前記複数の読取ユニットを前記対向面側へ射影した場合に、各々の対角線が一致する方向に並ぶ前記読取ユニットの組合せであってもよい。この場合、複数の読取ユニットに接続する配線を複雑にすることなく、複数の読取ユニットを簡易な制御で駆動することができ、ひいては対象物から画像を効率的に読み取ることができる。
【図面の簡単な説明】
【００１６】
【図１】スキャナ１の正面図である。
【図２】読取パネル２の拡大正面図である。
【図３】図２のＡ−Ａ線矢視方向断面図である。
【図４】読取パネル２のライン接続を示す正面図である。
【図５】スキャナ１の駆動信号を示す図である。
【図６】読取ユニット１０の光拡散状態を示す拡大図である。
【図７】読取ユニット１０のサンプル１〜４を示す図である。
【図８】デバイス形状と階調識別能の関係を示すグラフである。
【図９】素子縦横比と階調識別能の関係を示すグラフである。
【図１０】駆動信号の入力時間と出力信号の関係を示すグラフである。
【図１１】グレースケールレベルと出力信号の関係を示すグラフである。
【図１２】電極間距離と受光素子２０の明電流の関係を示すグラフである。
【図１３】第一変形例の読取パネル２のライン接続を示す正面図である。
【図１４】第二変形例の読取パネル２のライン接続を示す正面図である。
【図１５】第二変形例の読取パネル２の拡大図である。
【発明を実施するための形態】
【００１７】
以下、本発明を具現化した実施の形態について、図面を参照して説明する。なお、参照する図面は、本発明が採用しうる技術的特徴を説明するために用いられるものであり、記載されている装置構成や製造方法などは、それのみに限定する趣旨ではなく、単なる説明例である。
【００１８】
本実施形態に係るスキャナ１の概略構造について、図１を参照して説明する。スキャナ１は、全体として可撓性を有する薄板状であり、対象物に接触して画像を読み取る接触型の画像読取装置である。スキャナ１は、可撓性を有する薄板状の本体フレーム９を備える。本体フレーム９の正面側のほぼ全面に、正面視で正方形状の読取パネル２が設置されている。読取パネル２は、読み取り単位を構成する複数の読取ユニット１０が、平面視でマトリクス状に配設された２次元のエリアセンサである。一つの読取ユニット１０が、一つの画素に相当する。
【００１９】
本体フレーム９には、制御部３，４およびＣＰＵ５等が内蔵されている。制御部３は、データライン５０（図２参照）の通電を制御する電子回路である。制御部４は、スキャンライン６０（図２参照）の通電を制御する電子回路である。ＣＰＵ５は、制御部３，４に接続され、スキャナ１の読取動作を制御する。本体フレーム９の縁部には、画像の読み取りを指示するためのスイッチ６が設けられている。ユーザがスイッチ６を押すと、ＣＰＵ５は制御部３，４を駆動して、読取パネル２に対向配置されている対象物から画像を読み取る。
【００２０】
図２および図３を参照して、読取パネル２の詳細構造について説明する。読取パネル２は、その主体をなす透光性フィルムである基板１１を備える。基板１１は、透光性、可撓性および絶縁性を有する薄型基板（アクリル樹脂、ポリスチレン、ポリカーボネートなど）であればよい。本実施形態の基板１１は、「０．７ｍｍ」の厚みで形成されたアクリル板である。
【００２１】
基板１１は、対象物に対向可能な面である対向面１１Ａと、対向面１１Ａとは反対側を向く面（反対面１１Ｂ）とを有する。読取パネル２は本体フレーム９（図１参照）に設置された状態で、対向面１１Ａが正面側を向き、且つ、反対面１１Ｂが背面側を向く。反対面１１Ｂに、複数の読取ユニット１０が設けられている。
【００２２】
複数の読取ユニット１０は、対向面１１Ａ側に射影した各々の形状（つまり、正面視での形状）が四角形状であり、且つ、対向面１１Ａの延びる方向に沿って二次元配列される。本実施形態では、複数の読取ユニット１０は、正面視で上下方向に延びる辺と左右方向に延びる辺を有する、いずれも同じ大きさの正方形状である。さらに、複数の読取ユニット１０は、各々の辺が延びる方向に沿って格子状に均等配置される。一例として、図１では、縦方向（図１の上下方向）に８列、横方向（図１の左右方向）に８列の読取ユニット１０が設けられている。
【００２３】
各読取ユニット１０は、発光素子２０、受光素子３０、素子駆動部４０等を含む。発光素子２０は、対向面１１Ａ側に向けてスキャン光を照射する光源である。本実施形態では、発光素子２０は、数１００ｎｍ〜数μｍ厚程度の薄膜状をなす公知の有機エレクトロルミネッセンス（Ｏｒｇａｎｉｃ  Ｅｌｅｃｔｒｏ−Ｌｕｍｉｎｅｓｃｅｎｃｅ）である。発光素子２０の正面側（つまり、対向面１１Ａと同一方向を向く面）には、薄膜状の透明電極（ＩＴＯ）である発光陽極ライン２１が設けられている。発光素子２０の背面側（つまり、反対面１１Ｂと同一方向を向く面）には、薄膜状の金属電極である発光陰極ライン２２が設けられている。つまり、発光素子２０は陰極および陽極によって正面と背面との両側から挟まれている。
【００２４】
受光素子３０は、対向面１１Ａから入射する光量に応じて電荷を蓄積する感光部である。本実施形態では、数１００ｎｍ〜数μｍ厚程度の薄膜状をなし、光吸収用組成物として有機材料を使用した公知の有機フォトダイオード（Ｏｒｇａｎｉｃ  Ｐｈｏｔｏｄｉｏｄｅ）である。受光素子３０の正面側には、薄膜状の透明電極（ＩＴＯ）である受光陽極ライン３１が設けられている。受光素子３０の背面側には、薄膜状の金属電極である受光陰極ライン３２が設けられている。つまり、受光素子３０は陰極および陽極によって正面と背面との両側から挟まれている。
【００２５】
素子駆動部４０は、発光素子２０および受光素子３０を駆動する電子回路である。図示しないが、素子駆動部４０は、薄膜電界トランジスタで構成されたスイッチング素子（ＴＦＴ）や、受光素子３０に発生する電荷を蓄積する補助容量などを含む。素子駆動部４０の正面側および背面側には、数μｍ厚程度の導電性金属（例えば、アルミ箔）で形成された配線である接続ライン４１、４２が各々設けられている。
【００２６】
以上のように、各読取ユニット１０は、一組の発光素子２０、受光素子３０、素子駆動部４０を含む。尚、素子駆動部４０は、発光素子２０および受光素子３０と並んで配置する必要はなく、例えば発光素子２０および受光素子３０の背面側に設けてもよい。
【００２７】
基板１１の反対面１１Ｂには、データライン５０と、水平信号線であるスキャンライン６０とが設けられている。データライン５０は、正面視で左右方向に並ぶ読取ユニット１０の間を上下方向に延びる垂直信号線である。スキャンライン６０は、正面視で上下方向に並ぶ読取ユニット１０の間を左右方向に延びる水平信号線である。データライン５０およびスキャンライン６０は、素子駆動部４０に接続されている。
【００２８】
各読取ユニット１０では、発光素子２０、受光素子３０、および素子駆動部４０が、正面視で重複しないように互いに離間して配置されている。発光素子２０、受光素子３０、および素子駆動部４０は、各々の周囲が絶縁層１３で囲まれており、互いに絶縁されている。本実施形態では、発光素子２０、受光素子３０、および素子駆動部４０が、正面視で各読取ユニット１０内を左側から右側に向けて並んでいる。発光陰極ライン２２と受光陰極ライン３２との距離（以下、電極間距離Ｌ１）は、「１〜５μｍ」である。発光素子２０と受光素子３０との距離（以下、素子間距離Ｌ２）は「０．１ｍｍ」である。
【００２９】
発光素子２０および受光素子３０は、対向面１１Ａ側へ射影した場合に（つまり、正面視で）、各々の長辺同士が対向する長方形状である。本実施形態では、発光素子２０および受光素子３０は、正面視で、いずれも長辺が短辺の５倍の長さを有する同一面積の長方形状である。
【００３０】
図４〜図６を参照して、スキャナ１の読取制御について説明する。本実施形態では、図４に例示するように、データライン５０は、正面視で上下方向に並ぶｍ個の読取ユニット１０に接続されるｎ個のライン（Ｄ１〜Ｄｎ）を含む。データラインＤ１〜Ｄｎは、正面視で左側から右側に向けて並ぶ。スキャンライン６０は、正面視で対角線方向に並ぶｎ個の読取ユニット１０に接続されるｍ個のライン（Ｓ１〜Ｓｍ）を含む。スキャンラインＳ１〜Ｓｍは、正面視で左下側から右上側に向けて並ぶ。スキャンラインＳ１〜Ｓｍに各々接続されているｎ個の読取ユニット１０は、各データラインＤ１〜Ｄｍのいずれかに重複なく接続されている。
【００３１】
ユーザは、スキャナ１を対象物（例えば、原稿）に対して密着させる。このとき、読取パネル２の対向面１１Ａが原稿の読取面と対向するように、スキャナ１を原稿に面接触させる。上記構成を有するスキャナ１は全体として可撓性を有するため、原稿の読取面が湾曲している状態でも、その湾曲形状に合わせてスキャナ１を撓ませて面接触させることができる。
【００３２】
スキャナ１が原稿に密着した状態で、ユーザがスイッチ６を押すと、ＣＰＵ５はスキャナ１の読取制御を実行する。具体的には、ＣＰＵ５が制御部３，４に駆動信号を入力して、データライン５０およびスキャンライン６０を介して、複数の読取ユニット１０を選択的に順次駆動する。このとき、ＣＰＵ５は、複数の読取ユニット１０のうちで特定の組合せを構成する読取ユニット１０を同時に駆動して、原稿から画像を読み取る。特定の組合せは、正面視で、隣り合う読取ユニット１０同士で各々の四辺が対向する組合せとは異なる読取ユニット１０の組合せである。
【００３３】
本実施形態では、複数の読取ユニット１０を対向面１１Ａ側へ射影した場合に（つまり、正面視で）、各々の対角線が一致する方向に並ぶ読取ユニット１０の組合せが、以下の手順によって駆動される。まずＣＰＵ５は、図５に例示する矩形波の駆動信号を制御部３，４に入力する。制御部３に入力される駆動信号は、データラインＤ１〜Ｄｎの全てを所定間隔で同時にオン・オフする。制御部４に入力される駆動信号は、スキャンラインＳ１〜Ｓｍの順序で、各スキャンラインを選択的にオンする。オン状態のデータラインおよびオン状態のスキャンラインに接続されている読取ユニット１０が駆動する。つまり、スキャンラインＳ１〜Ｓｍの順序で、各スキャンラインに接続されるｎ個の読取ユニット１０が順次駆動されて、一回の読取動作中に全ての読取ユニット１０が一回だけ駆動する。
【００３４】
駆動された読取ユニット１０では、素子駆動部４０が発光素子２０および受光素子３０を駆動する。具体的には、素子駆動部４０は、発光素子２０に電圧を印加して発光させる。素子駆動部４０は、受光素子３０に一定逆電圧（バイアス）を印加し、受光量に対応して増加する電荷を補助容量に蓄積させて、原稿から読み取った画像の光イメージを結像する。素子駆動部４０は、補助容量から読み出される電荷を電圧として読み出して増幅する。
【００３５】
具体的には、データラインＤ１〜ＤｎおよびスキャンラインＳ３をオンした場合には、図４に斜線で色分けしたｎ個の読取ユニット１０が同時に駆動する。本実施形態では、読取ユニット１０が正面視で四角形状であるため、発光素子２０の光照射に異方性が生じる。図６に示すように、発光素子２０の発した光成分は、正面視で、発光素子２０の四辺が対向する方向（上下左右方向）に大きく拡散する一方、発光素子２０の対角線方向（右上、左上、右下、左下方向）には拡散しくにい。
【００３６】
さらに、本実施形態の発光素子２０および受光素子３０は、正面視で長方形状であるため、発光素子２０の光照射に生じる異方性が大きい。図６に示すように、発光素子２０の発した光成分は、注目画素の四辺のうちで長辺に沿って横方向に幅広帯状に拡散しやすく、短辺に沿って縦方向に幅狭帯状に拡散しやすく、且つ、対角線方向には光が拡散しにくい。
【００３７】
その結果、一の読取ユニット１０（以下、注目画素）を駆動した場合、注目画素の発光素子２０が発した光成分は、注目画素に隣接する８つの読取ユニット１０（以下、隣接画素）に向けて拡散する。このとき、注目画素の四辺が対向する方向に存在する４つの注目画素（以下、対向画素）は、注目画素から拡散した光成分が受光素子３０に入射しやすい位置にある。一方、注目画素の対角線方向に存在する４つの注目画素（以下、対角画素）は、注目画素から拡散した光成分が受光素子３０に入射しにくい位置にある。
【００３８】
注目画素から拡散した光成分が隣接画素の受光素子３０で受光されると、隣接画素は不要な光成分を受光したために画像を正確に認識できないおそれがある。このような画素間の光漏れに起因する読取性能の劣化を抑制するために、注目画素と対向画素とを同時に駆動しないことが好適である。本実施形態では、上記のように対角線方向に並ぶ読取ユニット１０のみが同時に駆動される。このとき同時に駆動される読取ユニット１０は、いずれも隣り合う他の読取ユニット１０と各々の四辺が対向しない。そのため、注目画素と対向画素とを同時に駆動することなく全ての読取ユニット１０を駆動して、原稿から画像を読み取ることができる。
【００３９】
全ての読取ユニット１０が駆動完了した後、ＣＰＵ５は、各読取ユニット１０から出力される電圧値のデータ信号に基づいて画像イメージを生成し、生成した画像イメージを図示外のメモリに出力する。
【００４０】
上述したスキャナ１の最適化条件として、（１）デバイス形状への依存性、（２）光路長への依存性、（３）素子間距離および電極間距離への依存性について、以下のように検証を行った。
【００４１】
（１）デバイス形状への依存性
スキャナ１の画像読取性能と読取ユニット１０のデバイス形状との関係性（依存性）を検証するため、発光素子２０および受光素子３０の形状および面積が異なる複数の読取ユニット１０の対照実験と、発光素子２０および受光素子３０の縦横比が異なる複数の読取ユニット１０の対照実験とを行った。
【００４２】
形状および面積が異なる複数の読取ユニット１０の対照実験では、上記実施形態で説明した読取ユニット１０（以下、対象デバイス）と、図７に示す読取ユニット１０のサンプル１〜４とを用いた。対象デバイスは、発光素子２０および受光素子３０が同一面積の長方形状である。サンプル１は、発光素子２０および受光素子３０が同一面積の正方形状である。サンプル２は、発光素子２０はコの字型であり、受光素子３０は発光素子２０と同一面積の正方形状である。サンプル３は、発光素子２０は長方形状であり、受光素子３０は発光素子２０よりも小さい長方形状である。サンプル４は、発光素子２０は長方形状であり、受光素子３０は発光素子２０よりも大きい長方形状である。
【００４３】
以上の５種類の読取ユニット１０について、各々を駆動した時に達成される受光素子３０の階調識別能を検証した。階調識別能は、受光素子３０の入力信号と出力信号（明電流）の比に基づいて、受光素子３０が識別可能な濃淡値のパターン数を相対的に評価する値である。つまり、階調識別能は、受光素子３０が画像の階調をどの程度詳細に識別できるかを示す。この検証結果を、図８に示す。図８に示すグラフの横軸は、検証物（対象デバイスおよびサンプル１〜４）を示し、グラフの縦軸は、各検証物に対応する階調識別能の大きさを示す。
【００４４】
なお、対象デバイスおよびサンプル１、２は、発光素子２０および受光素子３０の面積が同一である。サンプル３の発光素子２０の面積は、対象デバイスの発光素子２０の１．２倍であり、サンプル３の受光素子３０の面積は、対象デバイスの受光素子３０の０．８倍である。サンプル４の発光素子２０の面積は、対象デバイスの発光素子２０の０．８倍であり、サンプル４の受光素子３０の面積は、対象デバイスの受光素子３０の１．２倍である。対象デバイスおよびサンプル１〜４は、いずれも素子間距離Ｌ２（図３参照）が「０．１ｍｍ」である。
【００４５】
図８に示すように、対象デバイスの階調識別能は「３０」程度であるのに対し、サンプル１の階調識別能は「１０」程度、サンプル２の階調識別能は「１５」程度、サンプル３、４の階調識別能は「２０」程度であった。対象デバイスとサンプル１、２との検証結果から明らかなように、発光素子２０および受光素子３０は対向面１１Ａ側へ射影した場合に、長方形状であることが好適である。対象デバイスとサンプル３、４との検証結果から明らかなように、発光素子２０および受光素子３０は対向面１１Ａ側へ射影した場合に、各々の面積が等しいことが好適である。したがって、読取ユニット１０は、発光素子２０と受光素子３０が同一面積の長方形状であることが最も好適である。
【００４６】
次に、発光素子２０と受光素子３０が同一面積の長方形状であるという条件のもと、発光素子２０および受光素子３０の縦横比（長辺長さと短辺長さの比）が異なる複数の読取ユニット１０について、各々を駆動した時に達成される受光素子３０の階調識別能を検証した。この検証結果を、図９に示す。図９に示すグラフの横軸は、発光素子２０および受光素子３０の縦横比（以下、素子縦横比）を示し、グラフの縦軸は、各素子縦横比に対応する階調識別能の大きさを示す。
【００４７】
素子縦横比は、発光素子２０および受光素子３０について、縦方向長さ（長辺長さ）の横方向長さ（短辺長さ）に対する倍率を示す。以下の説明では、発光素子２０および受光素子３０の長辺長さは、読取ユニット１０の各辺の長さと等しい固定長とする一方、発光素子２０および受光素子３０の短辺長さを可変にして、各々の素子縦横比を変更して実験を行った。
【００４８】
素子縦横比が小さいほど、発光素子２０および受光素子３０の面積は大きくなる。素子縦横比が「２」である場合、発光素子２０および受光素子３０はそれぞれ読取ユニット１０を二等分した長方形状となる。このとき、正面視で読取ユニット１０の面積全体が、発光素子２０および受光素子３０で占められることを意味する。つまり、発光素子２０および受光素子３０は読取ユニット１０内に配置可能な最大サイズであるため、素子縦横比の最小値は「２」である。
【００４９】
素子縦横比が大きいほど、発光素子２０および受光素子３０の面積は小さくなる。素子縦横比が「１０」である場合、発光素子２０および受光素子３０はそれぞれ読取ユニット１０を十等分した長方形状となる。このとき、発光素子２０および受光素子３０は、それぞれ実用に耐える発光能力および受光能力を発揮するのに最低限必要な大きさとなるため、素子縦横比の最大値は「１０」である。よって、素子縦横比は「２」〜「１０」の範囲で変更可能である。
【００５０】
図９に示すように、素子縦横比が「２」である場合、階調識別能は「１５」程度である。素子縦横比が「５」である場合、つまり発光素子２０および受光素子３０がそれぞれ読取ユニット１０を五等分した長方形状である場合、階調識別能は「３０」程度である。素子縦横比が「８」である場合、つまり発光素子２０および受光素子３０がそれぞれ読取ユニット１０を八等分した長方形状である場合、階調識別能は「１０」程度である。素子縦横比が「１０」である場合、階調識別能は「５」程度である。
【００５１】
このように素子縦横比が「２」〜「１０」である場合、読取ユニット１０はいずれも実用に耐える十分な階調識別能が得られた。つまり、発光素子２０および受光素子３０は、対向面１１Ａ側へ射影した場合に、いずれも長辺が短辺の２〜１０倍の長さを有することが好適である。特に、素子縦横比が「５」である場合、最も良好な階調識別能が得られた。つまり、発光素子２０および受光素子３０は、いずれも長辺が短辺の５倍の長さを有することが最も好適である。
【００５２】
本実施形態では、発光素子２０と受光素子３０が同一面積の長方形状であり、且つ、素子縦横比が「５」であるため、上記の最適化条件を全て満たす。つまり、スキャナ１は、優れた階調識別能を発揮可能な読取ユニット１０によって、原稿から正確に画像を読み取ることが可能である。
【００５３】
（２）光路長への依存性
スキャナ１の画像読取性能と読取ユニット１０の光路長との関係性（依存性）を検証するため、光路長が異なる読取ユニット１０を用いて、濃淡値（グレースケール）が異なる原稿を読み取る対照実験を行った。光路長は、読取ユニット１０と原稿面との距離（つまり、基板１１の厚み）に対応する。なお、本実験に使用する読取ユニット１０は、発光素子２０と受光素子３０が同一面積の長方形状であり、且つ、素子縦横比が「５」であるものとする。
【００５４】
光路長が「０．３ｍｍ」である場合に、濃淡値（グレースケール）が異なる原稿を読み取る実験を行った。その実験結果を、図１０に示す。図１０に示すグラフの横軸は、読取ユニット１０の駆動信号（入力信号）が入力されている時間を示し、グラフの縦軸は、各入力時間に対応する受光素子３０の出力信号（つまり、受光素子３０に生じる明電流の大きさ）を示す。
【００５５】
図１０に示すように、発光素子２０を発光させていない状態では、読取ユニット１０は原稿に密着しているため、受光素子３０は外部からの光入射がない暗状態である。この場合、受光素子３０の出力信号は「０Ｖ」である。一方、発光素子２０を発光させた場合、発光素子２０から発せられた光は原稿面で反射して、受光素子３０に入射する。
【００５６】
受光素子３０が反射光を受光すると、受光素子３０に明電流が生じる。図１０に示すように、原稿面に表されている画像の濃淡値（グレースケール）のレベルが小さいほど、受光素子３０に生じる明電流が大きくなる。言い換えると、原稿面の黒色度が低いほど（画像が明るいほど）、受光素子３０の明電流が大きくなる。一方、原稿面の黒色度が高いほど（画像が暗いほど）、受光素子３０の明電流が小さくなる。
【００５７】
具体的には、グレースケールレベル「１．５」、「１．０」、「０．７」、「０．５」、「０．２」、「０．０５」に対応する受光素子３０の出力信号は、それぞれ「−２．０Ｖ」、「−３．０Ｖ」、「−３．８Ｖ」、「−５．０Ｖ」、「−７．０Ｖ」、「−１０．０Ｖ」であった。つまり、この実験結果では、グレースケールレベルに応じて受光素子３０から異なる大きさの出力信号が得られた。これは、読取ユニット１０が、階調を識別して画像を読み取り可能であることを意味する。
【００５８】
上記と同様に、光路長が「０．５ｍｍ」および「０．７ｍｍ」である場合についても、濃淡値（グレースケール）が異なる原稿を読み取る実験を行った。光路長が「０．３ｍｍ」、「０．５ｍｍ」、「０．７ｍｍ」である場合でそれぞれ得られた実験結果を、図１１に示すように比較検討した。図１１に示すグラフの横軸は、原稿面のグレースケールレベルの大きさであり、グラフの縦軸は、各グレースケールに対応する受光素子３０の出力信号の大きさを示す。
【００５９】
図１１に示すように、光路長が「０．３ｍｍ」、「０．５ｍｍ」、「０．７ｍｍ」のいずれの場合でも、グレースケールレベルが大きくなるに応じて受光素子３０の出力信号が小さくなっているため、読取ユニット１０は階調を識別して画像を読み取り可能である。一方、光路長が小さいほど、同一のグレースケールレベルに対応する明電流が大きくなっている。
【００６０】
先述したように、受光素子３０は、グレースケールレベルが大きいほど明電流が小さくなる特性と、入力信号と出力信号とのオン・オフ比が大きいほど階調識別能が大きくなる特性とを有する。これらの特性を考慮して良好な階調識別能を得るためには、同一のグレースケールレベルに対応する明電流をより小さくことができるように、光路長はより長いほうが好ましい。一方、光路長が長くなりすると、原稿面で反射して受光素子３０に入射する光量が少なくなり、画像の認識性能が劣化するおそれがある。
【００６１】
上記実験の検証対象とした光路長「０．３ｍｍ」、「０．５ｍｍ」、「０．７ｍｍ」では、いずれも受光素子３０に入射する光量が、画像を正確に認識するのに十分であった。したがって、少なくとも検証対象とした光路長のうちでは、「０．７ｍｍ」が最も好適であることが確認された。
【００６２】
本実施形態では、基板１１の厚み（つまり、光路長）は「０．７ｍｍ」であり、上記の最適化条件を全て満たす。したがって、スキャナ１は、優れた階調識別能を発揮可能な読取ユニット１０によって、原稿から正確に画像を読み取ることが可能である。
【００６３】
（３）電極間距離および素子間距離への依存性
スキャナ１の画像読取性能と読取ユニット１０の電極間距離Ｌ１および素子間距離Ｌ２との関係性（依存性）を、以下のように検証した。まず、読取ユニット１０は、素子間距離Ｌ２が狭いことが好ましい。発光素子２０と受光素子３０とが近づくほど、原稿面で反射して受光素子３０に入射する光が漏れにくく、受光素子３０に生じる明電流が大きくなるためである。素子間距離Ｌ２が異なる複数の読取ユニット１０を用いて原稿を読み取る実験を行ったところ、素子間距離Ｌ２が「１ｍｍ」未満であるという条件を満たす場合に、実用に耐える十分な明電流が受光素子３０に生じることが明らかとなった。
【００６４】
次に、読取ユニット１０では、発光素子２０から発せられた光成分のうちで発光陰極ライン２２および受光陰極ライン３２に入射したものは、再び対向面１１Ａ側（つまり、原稿側）に向けて反射する。つまり、発光陰極ライン２２および受光陰極ライン３２で反射した光も、発光素子２０から原稿に照射された光と同様に、原稿で反射して受光素子３０に入射して画像イメージを結像する光成分となりうる。
【００６５】
そこで、電極間距離Ｌ１が異なる読取ユニット１０の駆動時に生じる受光素子３０の明電流の大きさを計測した。その計測結果を、図１２に示す。図１２に示すグラフの横軸は、電極間距離Ｌ１の大きさであり、グラフの縦軸は、各電極間距離Ｌ１に対応する受光素子３０の明電流の大きさを示す。
【００６６】
図１２に示すように、電極間距離Ｌ１が大きいほど、対応する受光素子３０の明電流は小さくなる。逆に、電極間距離Ｌ１が小さいほど、受光素子３０に生じる明電流は大きくなる。したがって、読取ユニット１０は、発光素子２０から発せられた光成分の損失（ロス）を抑制するため、電極間距離Ｌ１は狭いことが好適である。特に、発光素子２０と受光素子３０との隙間を介して光成分が漏れることを抑制するために、電極間距離Ｌ１は素子間距離Ｌ２よりも小さいことが好適である。
【００６７】
現在の製造技術を考慮すると、素子間距離Ｌ２が「３０μｍ」未満で形成された読取ユニット１０を大量生産することは極めて困難である。一方、電極間距離Ｌ１は、現在の製造技術でも超微細パターン（例えば、１〜５μｍ）で形成することが十分可能である。さらに、電極間距離Ｌ１を超微細パターン（例えば、１〜５μｍ）で形成しても、読取ユニット１０の画像読取性能を劣化させる危険性は乏しい。よって、製造工程を複雑にすることになく、優れた階調識別能を発揮可能な読取ユニット１０を実現できる。
【００６８】
本実施形態では、素子間距離Ｌ２は「１ｍｍ」よりも小さい「０．１ｍｍ」であり、且つ、電極間距離Ｌ１は素子間距離Ｌ２よりも小さい「１〜５μｍ」であるため、上記の最適化条件を全て満たす。したがって、スキャナ１は、優れた階調識別能を発揮可能な読取ユニット１０によって、原稿から正確に画像を読み取ることが可能である。
【００６９】
以上説明したように、本実施形態のスキャナ１では、発光素子２０および受光素子３０を各々含む複数の読取ユニット１０が、基板１１に設けられる。ＣＰＵ６は、複数の読取ユニット１０を選択的に駆動して、対象物から画像を読み取る。複数の読取ユニット１０は、対向面１１Ａ側に射影した各々の形状が四角形状であり、且つ、対向面１１Ａの延びる方向に沿って二次元配列される。ＣＰＵ６は、隣り合う読取ユニット１０同士で各々の四辺が対向する組合せとは異なる読取ユニット１０の組合せで、読取ユニット１０を同時に駆動する。
【００７０】
複数の読取ユニット１０は、対向面１１Ａ側に射影した各々の形状が四角形状であるため、発光素子２０の光照射に異方性が生じる。対象物の読み取り時に、隣り合う読取ユニット１０同士は同時に駆動されない。駆動した読取ユニット１０に隣り合う他の読取ユニット１０の受光素子３０が、駆動した読取ユニット１０の発光素子２０が発した光成分を受光することが抑制される。したがって、受光素子３０が不要な光成分を受光することを簡易な構造で抑制できる。ひいては、スキャナ１は、原稿から正確に画像を読み取ることができる。
【００７１】
発光素子２０および受光素子３０は、対向面１１Ａ側へ射影した場合に長方形状であるため、発光素子２０の光照射に生じる異方性が大きい。したがって、駆動した読取ユニット１０の発光素子２０が発した光成分が、駆動した読取ユニット１０に隣り合う他の読取ユニット１０の受光素子３０で受光されることを、より確実に抑制できる。
【００７２】
さらに、複数の読取ユニット１０を対向面１１Ａ側へ射影した場合に、各々の対角線が一致する方向に並ぶ読取ユニット１０の組合せが同時に駆動される。したがって、複数の読取ユニット１０に接続する配線を複雑にすることなく、複数の読取ユニット１０を簡易な制御で駆動することができ、ひいては対象物から画像を効率的に読み取ることができる。
【００７３】
上記実施形態において、スキャナ１が本発明の「画像読取装置」に相当する。ＣＰＵ５が本発明の「読取制御部」に相当する。発光陽極ライン２１および受光陽極ライン３１が、本発明の「透明電極」に相当する。発光陰極ライン２２および受光陰極ライン３２が、本発明の「金属電極」に相当する。
【００７４】
本発明は、前述の実施の形態に限定されるものではなく、本発明の要旨を逸脱しない範囲内において種々変更を加え得ることは勿論である。例えば、ＣＰＵ５が駆動する読取ユニット１０の組合せ（特定の組合せ）は、対角線が一致する方向に並ぶ読取ユニット１０の組合せに限定されない。
【００７５】
図１３を参照して、第一変形例の画像読取制御について説明する。図１３に示す第一変形例の読取パネル２では、複数の読取ユニット１０が画素番号の昇順に行方向（右方向）に並び、且つ、ｘ個目で改行して次の列（一つ下の列）で行方向に並ぶ。このｘ列ｍ行の読取ユニット１０で構成されたユニット群が、行方向に複数並んで配置される。データライン５０は、正面視で列方向に並ぶｍ個の読取ユニット１０にそれぞれ接続されるｎ個のライン（Ｄ１〜Ｄｎ）を含む。データラインＤ１〜Ｄｎは、正面視で行方向に並ぶ。
【００７６】
データラインＤ１〜Ｄｘは、一つ目のユニット群（先頭ユニット群）に含まれる各列の読取ユニット１０にそれぞれ接続される。例えば、データラインＤ１は、先頭ユニット群の一列目に含まれるｍ個の読取ユニット１０に接続される。データラインＤｘは、先頭ユニット群のｘ列目に含まれるｍ個の読取ユニット１０に接続される。また、データラインＤｎ−ｘ＋１〜Ｄｎは、最後のユニット群（末尾ユニット群）に含まれる各列の読取ユニット１０にそれぞれ接続される。例えば、データラインＤｎ−ｘ＋１は、末尾ユニット群の一列目に含まれるｍ個の読取ユニット１０に接続される。データラインＤｎは、末尾ユニット群のｘ列目に含まれるｍ個の読取ユニット１０に接続される。
【００７７】
データラインＤ１〜Ｄｎのうち、各ユニット群における列順序が同じデータラインが、それぞれほぼ同時に駆動される。例えば、データラインＤ１，Ｄｘ+１，Ｄ２ｘ+１，・・・Ｄｎ−ｘ＋１は、同時駆動される一列目のデータラインである。データラインＤｘ，Ｄ２ｘ，Ｄ３ｘ，・・・Ｄｎは、同時駆動されるｘ列目のデータラインである。このとき、各ユニット群においては、列順序の昇順（一列目、二列目、・・・ｎ列目）で、対応する読取ユニット１０が順次駆動される。
【００７８】
スキャンライン６０は、正面視で行方向に並ぶｎ個の読取ユニット１０に接続されるｍ個のライン（Ｓ１〜Ｓｍ）を含む。スキャンラインＳ１〜Ｓｍは、正面視で列方向に並ぶ。スキャンラインＳ１〜Ｓｍに接続されているｎ個の読取ユニット１０は、各データラインＤ１〜Ｄｎのいずれかに重複なく接続されている。
【００７９】
第一変形例では、スキャナ１の読取制御を実行する場合、少なくとも１ライン分の間隔をおいて並ぶ読取ユニット１０の組合せが、以下の手順によって駆動される。まずＣＰＵ５は、所定の駆動信号を制御部３，４に入力する。制御部３に入力される駆動信号は、一列目のデータラインＤ１，Ｄｘ＋１，Ｄ２ｘ＋１，・・・Ｄｎ−ｘ＋１の組合せ、二列目のデータラインＤ２，Ｄｘ＋２，Ｄ２ｘ＋２，・・・Ｄｎ−ｘ＋２の組合せ、・・・ｘ列目のデータラインＤｘ，Ｄ２ｘ，Ｄ３ｘ，・・・Ｄｎの組合せという順序で、各データラインを選択的にオンする。
【００８０】
制御部４に入力される駆動信号は、データラインＤ１〜Ｄｎの全てが一回だけ駆動される１ターン目の実行中、スキャンラインＳ１のみを連続的にオン・オフする。次に、データラインＤ１〜Ｄｎの全てが一回だけ駆動される１ターン目の実行中、スキャンラインＳ２のみを連続的にオン・オフする。同様の処理を、スキャンラインＳ１〜Ｓｍの順序でｍターン分実行して、最後のｍターン目の実行中、スキャンラインＳｍのみを連続的にオン・オフする。
【００８１】
これにより、オン状態のデータラインおよびオン状態のスキャンラインに接続されている読取ユニット１０が駆動する。例えば、スキャンラインＳ１に接続されているｎ個の読取ユニット１０が、一列目のデータラインＤ１，Ｄｘ＋１，Ｄ２ｘ＋１，・・・Ｄｎ−ｘ＋１の組合せ、二列目のデータラインＤ２，Ｄｘ＋２，Ｄ２ｘ＋２，・・・Ｄｎ−ｘ＋２の組合せ、・・・ｘ列目のデータラインＤｘ，Ｄ２ｘ，Ｄ３ｘ，・・・Ｄｎの組合せという順序で駆動される。これにより、各ユニット群では、一行目に含まれるｘ個の読取ユニット１０が行方向に（つまり、画素番号順に）順次駆動される。つまり、一行目では、画素数がｘ個分ずれた読取ユニット１０をほぼ同時に駆動しながら、一行目を構成するｎ個の読取ユニット１０が駆動される。
【００８２】
次いで、スキャンラインＳ２に接続されているｎ個の読取ユニット１０が、一列目のデータラインＤ１，Ｄｘ＋１，Ｄ２ｘ＋１，・・・Ｄｎ−ｘ＋１の組合せ、二列目のデータラインＤ２，Ｄｘ＋２，Ｄ２ｘ＋２，・・・Ｄｎ−ｘ＋２の組合せ、・・・ｘ列目のデータラインＤｘ，Ｄ２ｘ，Ｄ３ｘ，・・・Ｄｎの組合せという順序で駆動される。これにより、各ユニット群では、二行目に含まれるｘ個の読取ユニット１０が行方向に（つまり、画素番号順に）順次駆動される。つまり、二行目では、ｘ個分ずれた読取ユニット１０をほぼ同時に駆動しながら、二行目を構成するｎ個の読取ユニット１０が駆動される。同様の処理を繰り返し、一回の読取動作中に全ての読取ユニット１０が一回だけ駆動する。
【００８３】
図１４を参照して、第二変形例の画像読取制御について説明する。図１４に示す第二変形例の読取パネル２では、複数の読取ユニット１０をｘ列ｙ行で配置したユニット群が、列方向および行方向に複数並んで配置される。データライン５０は、正面視で列方向に並ぶｍ個の読取ユニット１０に接続されるｎ個のライン（Ｄ１〜Ｄｎ）を含む。スキャンライン６０は、同時駆動されるｎ個の読取ユニット１０にそれぞれ接続されるｍ個のライン（Ｓ１〜Ｓｍ）を含む。
【００８４】
スキャンラインＳ１〜Ｓｍは、各ユニット群において対角線方向に並ぶ複数の読取ユニット１０に接続されている。各ユニット群では、同時駆動される読取ユニット１０の組合せは、ｙ通りである。読取パネル２の全体では、同時駆動される読取ユニット１０の組合せは、ｍ通りである。例えば、スキャンラインＳ１は、１パターン目の同時駆動パターンに対応するｎ個の読取ユニット１０にそれぞれ接続される。スキャンラインＳｍは、ｍパターン目の同時駆動パターンに対応するｎ個の読取ユニット１０にそれぞれ接続される。スキャンラインＳ１〜Ｓｍに接続されているｎ個の読取ユニット１０は、各データラインＤ１〜Ｄｎのいずれかに重複なく接続されている。
【００８５】
第二変形例では、スキャナ１の読取制御を実行する場合、読取パネル２上で離間して配置された読取ユニット１０の組合せが、以下の手順によって駆動される。まずＣＰＵ５は、図５に例示する矩形波の駆動信号を制御部３，４に入力する。これにより、スキャンラインＳ１〜Ｓｍの順序で、各スキャンラインに接続されるｎ個の読取ユニット１０が順次駆動されて、一回の読取動作中に全ての読取ユニット１０が一回だけ駆動する。
【００８６】
例えば、スキャンラインＳ１に接続されているｎ個の読取ユニット１０が順次駆動され、１パターン目の同時駆動パターンが実行される。次いで、スキャンラインＳ２に接続されているｎ個の読取ユニット１０が順次駆動され、２パターン目の同時駆動パターンが実行される。同様の処理を繰り返し、一回の読取動作中に全ての読取ユニット１０が一回だけ駆動する。上記の例では、いずれの同時駆動パターンにおいても、対角線上に配置されたｎ個の読取ユニット１０がほぼ同時に駆動する。
【００８７】
複数の読取ユニット１０に対するデータラインＤ１〜Ｄｎの接続パターン（つまり、同時に駆動する読取ユニット１０の組合せ）は、対角線方向の並びに限定されず、同時駆動する読取ユニット１０が同じデータラインに接続されず、且つ、同時に駆動する読取ユニット１０が隣接しなければよい。例えば、図１５に示すように、１つのユニット群を構成する列方向の画素数ｙが、１つのユニット群を構成する行方向の画素数ｘのｋ倍（ｋは自然数）である場合、列方向に複数画素分離間した読取ユニット１０が同時駆動するように制御可能である。
【００８８】
上記の第一、第二変形例では、いずれも上記実施形態と同様に、同時に駆動される読取ユニット１０は、いずれも隣り合う他の読取ユニット１０と各々の四辺が対向しない。そのため、注目画素と対向画素とを同時に駆動することなく全ての読取ユニット１０を駆動して、原稿から画像を読み取ることができる。
【００８９】
上記実施形態および変形例では、スキャナ１を画像読み取りに用いる場合を例示したが、スキャナ１は読取パネル２に画像を表示する表示装置として機能してもよい。この場合、データライン５０およびスキャンライン６０は、上記のように画像読取制御に加えて、発光素子２０を発光駆動して読取パネル２に画像を形成する画像表示制御に用いることができる。
【００９０】
上記実施形態および変形例では、画像をグレースケールで読み取るスキャナ１を例示したが、本発明はモノクロ用のスキャナ１に限定されない。例えば読取ユニット１０にＲＧＢ光源およびＲＧＢ識別可能な発光素子２０を配置することで、画像をカラーで読み取るスキャナ１を実現することができる。
【符号の説明】
【００９１】
１    スキャナ
２    読取パネル
１０    読取ユニット
１１    基板
１１Ａ    対向面
１１Ｂ    反対面
２０    発光素子
２１    発光陽極ライン
２２    発光陰極ライン
３０    受光素子
３１    受光陽極ライン
３２    受光陰極ライン
４０    素子駆動部
５０    データライン
６０    スキャンライン
【図１】
2014042086.tif 000003
【図２】
2014042086.tif 000004
【図３】
2014042086.tif 000005
【図４】
2014042086.tif 000006
【図５】
2014042086.tif 000007
【図６】
2014042086.tif 000008
【図７】
2014042086.tif 000009
【図８】
2014042086.tif 000010
【図９】
2014042086.tif 000011
【図１０】
2014042086.tif 000012
【図１１】
2014042086.tif 000013
【図１２】
2014042086.tif 000014
【図１３】
2014042086.tif 000015
【図１４】
2014042086.tif 000016
【図１５】
2014042086.tif 000017